Podtech/llm-jp-corpus-v4-ja_patent huggingface dataset:
(57)【要約】【課題】加工が容易であり、１本の笛を切断して加工しても元の長さの笛になるような、組立式横笛を提供する。【解決手段】１本の横笛を２本に切断して、歌口側筒体、指孔側筒体ともに、切り口付近の外面を削り、いわゆる「オス」の形状を形成する。笛として使用する際はこの２本の筒体を接続パイプにより接続し、１本の笛とする。不使用時は、３分割または２分割とすることにより短くなり、持ち運びに便利になる。【選択図】　　図１
0003097808.tif 000002
【実用新案登録請求の範囲】
【請求項１】
接続側端部から２〜３ｃｍの範囲の外径を細く加工した歌口側筒体と、同様の加工を施した指孔側筒体とを、接続パイプを用いて組み立てることを特徴とした、組立式横笛。
【考案の詳細な説明】
【０００１】
【産業上の利用分野】本考案は、持ち運びに便利な、組立式横笛に関するものである。
【０００２】
【従来の技術】横笛は細くて長いため、外力により折れたり潰れたりしやすく、旅行等に持ち運ぶ場合に不便である。この欠点を解決する方法として、図２に示すように、１本の笛を、歌口側筒体（４）と指孔側筒体（５）とに切断し、歌口側筒体をオスに、指孔側筒体をメスに加工して、必要な時に組み立てることができる組立式横笛が提案されている（特開平８−２３４７３０）。
【０００３】
【考案が解決しようとする課題】しかしながら従来の方法では、歌口側筒体と指孔側筒体を差し込んだ分だけ元の笛の長さより短くなるため、音色が変化する。さらに、指孔側筒体のメスの加工は、笛の内面を削る必要があり、実際にはかなり困難である。本考案は、これら２点の問題点を解決するものである。
【０００４】
【課題を解決するための手段】上記課題の解決のため、図１に示すように、歌口側筒体（１）と指孔側筒体（２）共に、接続側端部から２〜３ｃｍの間の外面を削り、いわゆる「オス」に加工する。２本の筒体の接続には、別に作成した接続パイプを用いる。
【０００５】
【実施例】以下本考案の実施例について説明する。
イ、　１本の横笛を、歌口側筒体（１）と指孔側筒体（２）とに切断し、それぞれの切断面から２〜３ｃｍの間、外面を削り、いわゆる「オス」の形状を形成する。
ロ、　別に、両側から筒体をはめ込んで接続するための、「接続パイプ（３）」を作成する。
ハ、　笛として使用する時は、歌口側筒体（１）と指孔側筒体（２）とを、接続パイプ（３）を用いて組み合わせ、１本の笛として使用する。
ニ、　持ち運びする時は、３つの部品に分解するか、または歌口側筒体（１）と接続パイプ（３）は接続したまま、指孔側筒体（２）のみを取り外し、２分割とすることにより短くなり、持ち運びが容易になる。
ホ、　なお、笛の材質としては、一般的な材料である「竹」よりも、合成樹脂の方が加工は容易である。また、合成樹脂で笛を製造する場合には、実施例イの方法によって２種類の筒体を形成する方法のほか、各々の筒体の製造を目的とした金型を作ることにより、各々の筒体を形成することもできる。接続パイプの材質は、金属であっても樹脂であってもよいが、金属の方が薄くても強度が確保できることから、より適当である。
【０００６】
【考案の効果】本考案によると、１本の笛から比較的容易な加工により、持ち運びに便利な組立式横笛を作成することができる。また、元の笛に比べ、長さが短くなることがなく、元の音色が再現できる。
【図面の簡単な説明】
【図１】本考案の実施例を示す。
【図２】従来例を示す。
【符号の説明】
１　本考案の歌口側筒体
２　本考案の指孔側筒体
３　接続パイプ
４　従来例の歌口側筒体
５　従来例の指孔側筒体
【図１】
0003097808.tif 000003
【図２】
0003097808.tif 000004
(57)【要約】　　　（修正有）【課題】鼻による呼吸へ負担をかけることがなく，短時間で乾燥することのない湿式マスクを提供する。【解決手段】鼻と接触する部分をカットした形状とし、鼻による呼吸への負担を軽減した。また、唇が接触する部分以外の部分を厚手にし、保水性を向上させることで、喉や気管を加湿する時間を長くした。【選択図】図１
0003097802.tif 000002
【実用新案登録請求の範囲】
【請求項１】
鼻と接触する部分をカットした形状とし、鼻による呼吸への負担を軽減したことを特徴とする、喉や気管を加湿するための湿式マスク
【請求項２】
唇が接触する部分以外の部分を厚手にし、保水性を向上させ、加湿する時間を長くしたことを特徴とする、喉や気管を加湿するための湿式マスク
【考案の詳細な説明】
【００００１】
【考案の属する技術分野】
この考案は、喉や気管を加湿するための湿式マスクに関するものである。
【００００２】
【従来の技術】
従来技術（１）
風邪の予防のためや風邪の引き始めに、喉や気管を加湿するため、就寝時に水やお湯を適当に含ませたガーゼマスクの上３分の１程度を、外側に折り曲げて着用していた。
なお、上３分の１程度を外側に折り曲げるのは、鼻に接触することで、鼻による呼吸への負担を軽減するためのものである。
従来技術（２）
水やお湯を含ませて使用する場合であっても、ガーゼマスクの厚みは従来どおりの厚みのものを使用していた。
【００００３】
【考案が解決しようとする課題】
従来技術（１）の課題
風邪の予防のためや風邪の引き始めに、喉や気管を加湿するため、就寝時に水やお湯を適当に含ませたガーゼマスクの上３分の１程度を、外側に折り曲げて着用していたが、ゴムひもに無理な力が加わり、寝返り時等に折り返した部分が元に戻って鼻に接触し、鼻による呼吸へ負担をかけるという欠点があった。本考案は、この欠点を除くためになされたものである。
従来技術（２）の課題
従来のマスクの厚みでは、保水性に欠け乾燥し易く、喉や気管を加湿する時間が短いという欠点があった。本考案は、この欠点を除くためになされたものである。
【００００４】
【課題を解決するための手段】
以上の課題を解決するために、
請求項１の考案は、鼻と接触する部分をカットした形状とし、鼻による呼吸への負担を軽減した湿式マスクである。
請求項２の考案は、唇が接触する部分以外の部分を厚手にし、保水性を向上させ、喉や気管を加湿する時間を長くした湿式マスクである。
【００００５】
【考案の実施の形態】
この考案の実施形態を、図１に示す。
図２の（１）の部分の様に、鼻と接触する部分をカットし、鼻による呼吸への負担を軽減させた。
図２の（２）の部分を従来のマスクよりも厚手のものとし、保水性を向上させた。
図２の（３）の部分は、口による呼吸に負担をかけないように、従来の厚さと同様である。
従来の技術による実施形態を、図３に示す。
【００００６】
【実施形態の効果】
この実施形態によれば、鼻と接触する部分をカットしたことにより、上３分の１程度を外側に折り曲げる必要が無くなったため、ゴムひもに無理な力が加わらず、寝返り時等に折り返した部分が元に戻って鼻に接触することが無くなり、鼻による呼吸への負担を軽減することができる。
また、唇が接触する部分以外の部分を厚手にしたことで、保水性を向上させることができ、喉や気管を加湿する時間を長くすることができる。
【００００７】
【考案の効果】
効果（１）
鼻と接触する部分をカットしたことにより、鼻による呼吸への負担を軽減できた。
効果（２）
唇が接触する部分以外の部分を厚手にすることで、保水性を向上させ、加湿時間を長くすることができた。
【図面の簡単な説明】
【図１】この考案の一実施形態を示す平面図である。
【図２】各部の説明
（１）の部分を鼻に接触しないようにカットした。
（２）の部分を保水性を向上させるため、従来のものよりも厚手のものとした。
（３）の部分は口による呼吸に負担をかけないように、従来の厚さと同様とした。
【図３】従来の技術による実施形態を示す平面図である。
【図１】
0003097802.tif 000003
【図２】
0003097802.tif 000004
【図３】
0003097802.tif 000005
(57)【要約】【課題】本考案は、革靴、スニーカー等を履いて雨中を歩く際に、雨、傘の雫、地面からの跳ね返り等によって濡れたり汚れたりするのを防ぎどんなサイズの靴にも使用できて、軽く、靴自身の底面が直接地面に接するようにして歩行がスムースに出来るようにし、且つ簡単に取り付け取り外しができるようなレインシューカバーを開発する点である。【解決手段】本考案のレインシューカバーは取り付け位置合わせをかかと部上部の凹みから左右に別れた目視できるラインの入った端部を靴の両側に回して靴底面を通し、つま先部で交差させ、つま先部でこのラインの入った端部を引っ張り、緩みが無いことを確認しながらつま先部でカバーを細く絞り、止め具またはテープ等で止め、外れないように取り付ける。【選択図】　　　　図１
0003097809.tif 000002
【実用新案登録請求の範囲】
【請求項１】
長方形の対辺が開いている封筒状で、閉じた長辺に足を入れるための開口部を設け且つ開いた対辺の端部に目視できるライン等が入っているレインシューカバー
【請求項２】
靴の最後部下部を取り付けの基点として、両側に分かれたカバーの辺端部が靴の裏面を通り、つま先部先端部で交差し靴にカバーが張り付くように引っ張って細く絞りまわし、その絞った部位を止め具、又は絞った残りの部位をテープ等で止めて使用する方式のレインシューカバー。
【考案の詳細な説明】
【０００１】
【考案が属する技術分野】
この考案は、革靴、スニーカー等を履いて雨中を歩く際に、靴底面の殆どの部分が直接地面に接することが出来て、しかも雨、傘の雫、地面からの跳ね返り等によって濡れたり汚れたりするのを防ぐ靴カバーに関するものである。
【０００２】
【従来の技術】
合成樹脂製の靴カバーが製品化されていているが、靴をはいた状態で履くようになっていて、又，靴全体を覆う構造のため靴の形状やサイズが違えば使用することができず、重く歩きずらく、又その価格も高く、使用後に使い捨てできるものではなかった。
【０００３】
【考案が解決しようとする課題】
解決しようとする問題点は、どんなサイズの靴にも使用できて、軽く、靴自身の底面が直接地面に接するようにして歩行がスムースに出来るようにし、且つ簡単に取り付け及び取り外しできるようにする点である。
【０００４】
【課題を解決するための手段】
本考案のレインシューカバーは、上述した課題を解決するため、着用位置合わせをかかと部上部の凹みから行なわれるようにし、つま先部分までのカバーの長さを十分に取って色々な靴のサイズに対応できるようにした。
【０００５】
又、取り付け法として、靴のかかと部上部の凹みから左右に別れた目視できるラインの入った端部を靴の両側に回して靴底面を通し、つま先部で交差させることで靴底面の一部をカバーで覆い靴に適正に取り付けるようにしている。
【０００６】
この端部のラインによって図５のＸ，Ｙ，Ｚのように靴上部から目視により靴裏面でカバーを図５のＹのように最も適正に覆うようにすることが出来る。
【０００７】
つま先部でこのラインの入った端部を引っ張り、緩みが無いことを確認しながらつま先部でカバーを細く絞り、数回まわし、止め具またはテープ等で止める。
【０００８】
これにより、カバーは靴を覆い且つ靴から外れないように取り付けることが出来、しかも歩行時に靴の底面の殆どを直接触れさせることが出来るため、取り付けていない状態と殆ど変わらないことを実現できる。
【０００９】
又，取り外し方法としてはかかと部上部のカバー端部にあるＶノッチの入った部分を垂直方向に引き裂き、靴を後方に引き出せるようにしている。
【００１０】
【考案の実施の形態】
色々なサイズの靴にも使用できて、軽く、歩行時は靴底面の殆どの部分が直接地面に接することが出来るようにし、しかも靴とカバーが外れないようにするという目的を、本考案のレインシューカバーを使用して実現した。
【００１１】
【実施例】
以下図面を参照して本考案のレインシューカバーを説明すると、図１は本考案であるレインシューカバーの外観図である。
【００１２】
レインシューカバーの靴への取り付けはまず、図３のＡのようにこのカバーを靴にかぶせる。
【００１３】
次に図１の４に示すカバーの下端を靴の最後部であるかかと上部の凹部分に当て、両側に分かれたラインの入った端部を靴の裏面を通しつま先先端部で交差し軽く引くと　図３のＢのように両サイドに端部に記されたラインを目視できる。
【００１４】
カバーを靴に取り付ける場合、図４のようにカバーの端部に引かれたラインが靴の先端部で交差する状態が最も良い。
【００１５】
図５に示すようにラインの形状により靴自身の底面におけるカバーの占める割合がわかるので最も適正である図５のＹに調整することができる。
【００１６】
図５のＹのように先端部でＶ字が見えるように調節し緩みが無いようにラインの入った端部を引っ張り図３のＣのようにカバーを絞ってその端部を回しカバーを靴に張り付くように取り付け、先端部で図３のＤのように止め具で止め、先端に余った部分を切り取り使用する。
【００１７】
取り外し時は図２のカバーのかかと上部に当たる所に切り込みノッチがついている部分を手で垂直に引き裂き開き靴を引き出す。
【００１８】
【考案の効果】
以上説明したように本考案のレインシューカバーはどんなサイズの靴にも使用できて、軽く、靴自身の底面が直接地面に接するようにして歩行がスムースに出来るので、雨除けだけでなく傷や汚れから守ることに使用できる。
【図面の簡単な説明】
【図１】レインシューカバーの外観図である。
【図２】レインシューカバーの最後部の詳細図である。
【図３】レインシューカバーを靴に取り付ける際の手順図である。
【図４】レインシューカバー端部に引かれたラインと靴の裏面を表す図である。
【図５】レインシューカバー端部に引かれたラインを靴上部から見た図である。
【符号の説明】
１　　レインシューカバーに開いている開口部
２　　切り込みノッチ
３　　靴の最後部の形状に合うように緩やかにカーブして閉じられている端部
４　　靴のかかと部に当てられるレインシューカバーの端部
５　　端部に入ったライン
６　　靴
７　　レインシューカバー本体
８　　止め具で止められたつま先先端部
【図１】
0003097809.tif 000003
【図２】
0003097809.tif 000004
【図３】
0003097809.tif 000005
【図４】
0003097809.tif 000006
【図５】
0003097809.tif 000007
【手続補正書】
【提出日】平成15年6月12日(2003.6.12)
【手続補正１】
【補正対象書類名】明細書
【補正対象項目名】実用新案登録請求の範囲
【補正方法】変更
【補正の内容】
【実用新案登録請求の範囲】
【請求項１】
長方形のカバーを２つ折にし、１つの短辺と１つの長辺が閉じた形状で閉じた長辺に足を入れるための開口部を設け且つ開いた対辺の端部に目視できるライン等が入っているレインシューカバー。
(57)【要約】【課題】食品等の小包充填機において、製品中の鉄その他磁性体を取り除く事が出来るようにする。【解決手段】治具にマグネットを取り付け、製品とマグネットを接触させる事により、製品中の鉄その他磁性体を取り除くようにした。【選択図】　　図２
0003097805.tif 000002
【実用新案登録請求の範囲】
【請求項１】
小包充填機の回転盤内にマグネットを取り付け、製品内の磁性品を吸着し、磁性品の取り除かれた製品の充填、包装を行うためのマグネットおよび取付治具。
【考案の詳細な説明】
【０００１】
【考案が解決しようとする課題】
従来、粉体状ならびに粒体状の食品等を小包充填機にて充填する場合、鉄その他の磁製品を取り除くことなく充填が行われており、異物も共に充填、包装されてしまうという問題を有していた。
【０００２】
【課題を解決するための手段】
上記の欠点を解決するため、特殊形状の治具を使用し、これにマグネットを取り付けて水平状に設置し、製品の流れにマグネットを接触させることにより製品中の鉄その他の磁性品を接着せしめこれを取り除く事とした。
【０００３】
【考案の効果】
上記マグネットと治具により製品中に存在する磁性体等の異物を取り除くことが出来るため、近年問題となっている食品等の異物を包装直前に取り除く事で、安心して製品の出荷が出来る事となった。
【図面の簡単な説明】
【図１】小包充填機の回転盤内に取り付けたマグネット及び取付治具。
【図２】取り付け治具及びマグネット。
【符号の説明】
１　　⇒は製品の流れを示す
２　　小包充填機製品投入部
３　　小包充填機に取り付けた治具とマグネット
４　　取付治具
５　　マグネット
【図１】
0003097805.tif 000003
【図２】
0003097805.tif 000004
【手続補正書】
【提出日】平成15年6月18日(2003.6.18)
【手続補正１】
【補正対象書類名】明細書
【補正対象項目名】実用新案登録請求の範囲
【補正方法】変更
【補正の内容】
【実用新案登録請求の範囲】
【請求項１】
小包充填機の回転盤（２）に特殊形状の治具（４）を使用し、これにマグネット（５）を取り付けて水平状に設置し（３）、製品の流れにマグネット（５）を接触させる事により製品中の鉄その他の磁性品を吸着せしめ、磁性品の取り除かれた製品の充填、包装を行うためのマグネット（５）および取付治具（４）。
【手続補正２】
【補正対象書類名】明細書
【補正対象項目名】０００２
【補正方法】変更
【補正の内容】
【０００２】
【課題を解決するための手段】
上記の欠点を解決するため、特殊形状の治具を使用し、これにマグネットを取り付けて水平状に設置し、製品の流れにマグネットを接触させることにより製品中の鉄その他の磁性品を吸着せしめこれを取り除く事とした。
(57)【要約】【課題】本考案は、人形をはじめとする装飾品や付属品の収納、保管する箱を、飾り棚（雛壇）や人形の家（ドールハウス）として使用できる持ち運びしやすい人形箱を改良する。【解決手段】本考案は、人形をはじめとする装飾品や付属品の収納、保管する箱において、側箱１、側箱２、中箱７と３分割し一端を丁番で繋いで支持板（補強材）８組み込むことにより階段状のスペースを創り出し、箱の形状をトランクケース型にすることで持ち運びしやすいコンパクトなトランクケース型人形箱である。【選択図】　図１
0003097806.tif 000002
【実用新案登録請求の範囲】
【請求項１】
トランクケース型人形箱は大きく縦に３分割され底面部分で各部分ごとに丁番で接続されている。両側の箱を９０度開くことにより逆Ｔ字形にセットされる。中央の箱は横方向に２分割され上部を９０度開くことで２段目の棚ができる。
更に２段目の棚に内包する形で収納された箱を１８０度開くことで３段目の棚ができるようにしたことを特徴とするトランクケース型人形箱。
【考案の詳細な説明】
【０００１】
【考案の属する技術分野】
本考案は、人形箱だけに留まらず人形の家（ドールハウス）または、ひな壇としても使える、持ち運びしやすいトランクケース型人形箱に関するものである。
【０００２】
【従来の技術】
人形箱と人形の家（ドールハウス）は、兼用されておらず持ち運びが容易ではなかった。又ひな壇は持ち運ぶものではなく飾り置く物で、収納も個別のため繁雑になりやすく、出し入れにも時間と手間が掛かっていた。
【０００３】
【考案が解決しようとする課題】
人形箱本体を開くことでその内側を家に見立てた人形の家（ドールハウス）として使うこともできる上、階段状になっていることからひな壇としても使用できる。
トランクケース型人形箱に取手をつけることで持ち運びを容易にでき、遊ぶ場所、飾る場所の自由度が広がり、更に、箱自体が部品としての役割を果たすため付属品を減らすことができ収納の省スペース化と、出し入れの時間と手間を軽減することを解決しようとするものである。
【０００４】
【課題を解決するための手段】
本考案は、トランクケース型人形箱本体を大きく縦に３分割し底面部分で各部分ごとに丁番で接続されている。両側の箱を９０度開くことにより逆Ｔ字形にセットされる。、中央の箱は横方向に２分割され上部を９０度開くことで２段目の棚ができる。
更に２段目の棚に内包する形で収納された箱を１８０度開くことで３段目の棚ができることで階段状を形作る。内側を家に見立てた人形の家（ドールハウス）として使うこともできる上、階段状になっていることからひな壇として使用できる。人形箱はトランクケース型にし取手をつけることで持ち運びしやすくしている。また人形箱自体を利用して余分な付属品を減らすことで省スペース化と、出し入れの手間を軽減することを解決する。
【０００５】
【考案の実施の形態】
トランクケース型人形箱は３分割されて中央の箱を中心に両側の箱が中央の箱をせり上げる形になり逆Ｔ字の状態になります。中央の箱は横方向に２等分されており丁番を軸として９０度に折れ曲がり階段状になります。その際中央の箱が９０度に折れた部分を支えるため支持板（補強材）を下部に組込み、次に最上段（３段目）の箱は下段（２段目）の箱から丁番を軸に１８０度回転させながら引き出すことで３段の棚を作ります。
【０００６】
【実施例】
以下添付図面に従って一実施例を説明する。
本体上部留め金具１０を外し、下丁番９を軸に側箱１と側箱２を９０度に開き逆Ｔ字形にすることで中箱７が側箱１と側箱２によって競り上がる形で１段目の棚が出来上がる。次に下中箱３と上中箱４の中央部中丁番１１を軸に上中箱４を側箱２側へ９０度開くことで２段目の棚ができる。その際、側箱２にある支持板（補強材）８を立て上中箱４を支える。更に上中箱４に内包する中中箱５を上丁番１２を軸に側箱２側へ１８０度開くことで３段目の棚ができる。よって人形箱自体が階段状の３段の棚で構成される。
【考案の効果】
上述の様に、本考案のトランクケース型人形箱は人形をはじめとする装飾品収納は勿論、人形箱自体が人形の家（ドールハウス）としても機能でき、または人形を飾ることにより、ひな壇としても機能する。人形箱はトランクケース型に取手を付けることで持ち運びがしやすく、更に箱自体が部品としての役割を果たすため付属品を減らすことができ収納の省スペース化、及び出し入れの時間と手間を軽減するために役立つ。
【図面の簡単な説明】
【図１】本考案のトランクケース型人形箱の斜視図である。
【図２】本考案のトランクケース型人形箱の斜視図である。
【図３】本考案のトランクケース型人形箱の斜視図である。
【図４】本考案のトランクケース型人形箱の一実施例を示す側面図である。
【図５】本考案のトランクケース型人形箱の一実施例を示す正面図である。
【図６】本考案のトランクケース型人形箱の一実施例を示す正面図である。
【符号の説明】
１側箱
２側箱
３下中箱
４上中箱
５中中箱
６取手
７中箱
８支持板（補強材）
９下丁番
１０留め金具
１１中丁番
１２上丁番
【図１】
0003097806.tif 000003
【図２】
0003097806.tif 000004
【図３】
0003097806.tif 000005
【図４】
0003097806.tif 000006
【図５】
0003097806.tif 000007
【図６】
0003097806.tif 000008
【手続補正書】
【提出日】平成15年6月16日(2003.6.16)
【手続補正１】
【補正対象書類名】明細書
【補正対象項目名】請求項　１
【補正方法】変更
【補正の内容】
【請求項１】
（１）トランクケース型人形箱は大きく縦に３分割された底面部分を各部分ごとに丁番で接続している。
（２）両側の箱を９０度開くことにより逆Ｔ字形にセットされる。
（３）中央の箱は横方向に２分割され上部を９０度開くことで２段目の棚ができる。
（４）２段目の棚に内包する形で収納された箱を１８０度開くことで３段目の棚ができる。
以上の構成からなるトランクケース型人形箱。
(57)【要約】　　　（修正有）【課題】写真紙に紫外線照射による退色が生じないようにし、長期間掲示しても美観を損なうことをなくする。【解決手段】紫外線吸収特性を有する透明保護板３の背部に写真紙配設部６を形成した。【選択図】　　　図２
0003097830.tif 000002
【実用新案登録請求の範囲】
【請求項１】
紫外線吸収特性を有する透明保護板の背部に写真紙配設部が形成されていることを特徴とする写真掲示用具。
【請求項２】
上記透明保護板は、紫外線吸収物質が含まれている透明材からなるものである請求項１に記載の写真掲示用具。
【請求項３】
上記透明保護板は、透明板材の表裏面の少なくとも一方に紫外線吸収材が積層配置されているものである請求項１に記載の写真掲示用具。
【考案の詳細な説明】
【０００１】
【考案の属する技術分野】
本考案は写真立てなどの写真掲示用具に関するものである。
【０００２】
【従来の技術】
従来から写真カメラにて撮影された写真は、アルバムに貼り付けておくばかりではなく、風景写真や家族写真の写真紙を写真立てなどの写真掲示用具に入れ、壁に掲示したり卓上にていつでも見ることができるようにしている。
【０００３】
【考案が解決しようとする課題】
しかしながら上記従来の写真掲示用具を用いた場合、その構造がガラス板などの透明板と背部の押え板との間に形成された写真紙配設部に写真紙を入れただけであり、居室内での紫外線が透明板を通して写真紙に照射され易い状態となり、このため、写真の像が早期に退色してしまうという問題があった。
そこで本考案は上記事情に鑑み、簡易な構成の写真掲示用具にてその写真掲示用具に入れた写真紙に紫外線照射による退色が生じないようにすることを課題とし、長期間掲示しても美観を損なうことなく写真が掲示できるようにすることを目的とする。
【０００４】
【課題を解決するための手段】
本考案は上記課題を考慮してなされたもので、紫外線吸収特性を有する透明保護板の背部に写真紙配設部が形成されていることを特徴とする写真掲示用具を提供して、上記課題を解消するものである。
そして、本考案において、上記透明保護板は、紫外線吸収物質が含まれている透明材からなるものとすることが可能であり、また、上記透明保護板は、透明板材の表裏面の少なくとも一方に紫外線吸収材が積層配置されているものとすることが可能である。
【０００５】
【考案の実施の形態】
つぎに本考案を図１から図３に示す実施の形態に基づいて詳細に説明する。
図中１は写真立てとして形成されている写真掲示用具で、額部２に透明保護板３を嵌め入れるとともに、図２に示すようにその透明保護板３の背部に押え板４を配置することで透明保護板３と押え板４との間に写真紙５を挟持状態で保持する写真紙配設部６が形成されている。７は押え板４に取り付けた折り畳み脚である。
そして、写真紙配設部６に入れた写真を正面から見ることができる上記透明保護板３は紫外線吸収特性を有するものであり、透明保護板３に達した紫外線を吸収してその背部にある写真紙に紫外線が照射されないようにしているものである。
【０００６】
実施の形態において上記透明保護板３は紫外線吸収性能を有する物質を含有させて形成したもので、紫外線吸収特性を備える透明板材から作成したものである。
また、透明保護板３はガラス板などの透明板材に紫外線吸収特性を有する紫外線吸収材を積層したものとしてもよく、図３に示すようにガラス板などからなる透明板材９の表面に、膜状とした紫外線吸収材１０を貼着したりその紫外線吸収材１０をコーティングすることによって、この透明保護板３が得られる。なお、透明保護板３を得るに当たって透明板材に紫外線吸収材を積層するものである場合、透明板材の表面（写真紙配設部とは反対側）に紫外線吸収材を配するものに限定されず、透明板材の裏面や表裏両面に配するようにしてもよい。
なお、実施の形態は写真立てとして示したが、本考案はこの実施の例に限定されず、壁掛けの額の形態であってもよい。
【０００７】
【考案の効果】
以上説明したように、本考案の写真掲示用具によれば、紫外線吸収特性を有する透明保護板の背部に写真紙配設部が形成されていることを特徴とするものであり、写真紙の前方に紫外線吸収特性を有する透明保護板が位置するので、外界の紫外線や居室の蛍光灯から照射される紫外線が写真紙に達しないようになり、よって、写真紙の退色が防止されて初期の写真像の状態を長期に維持することができる。そして、前記透明保護板を、紫外線吸収物質が含まれている透明材からなるものとすることで、写真掲示用具の構成を簡易なものとすることができ、また、前記透明保護板を、透明板材の表裏面の少なくとも一方に紫外線吸収材が積層配置されているものとすることにより、規制の紫外線吸収材の使用により透明保護板が製作できて、この写真掲示用具を安易に製作できるなど、実用性に優れた効果を奏するものである。
【図面の簡単な説明】
【図１】本考案に係る写真掲示用具の一例を示す説明図である。
【図２】一例における透明保持板を断面で示す説明図である。
【図３】他の例における透明保護板を断面で示す説明図である。
【符号の説明】
１…写真掲示用具
２…額部
３…透明保護板
４…押え板
５…写真紙
６…写真紙配設部
７…折り畳み脚
９…透明板材
１０…紫外線吸収材
【図１】
0003097830.tif 000003
【図２】
0003097830.tif 000004
【図３】
0003097830.tif 000005
(57)【要約】【課題】靴紐の先端に着脱自在に装着するものであって、あらゆる種類の靴紐に適用できる装飾具を提供すること。【解決手段】装飾部品１０がゴムチューブ１２にリング１３を介して連結されている。靴１の紐穴に通した靴紐３を互いに結んだ時に、靴紐３の先端通し部４に装飾部品１０を有するゴムチューブ１３を嵌合する。本考案の装飾具を装着する靴は、スニーカー型に限らずブーツやサンダル等で靴紐を使用する靴に適用できる。【選択図】　　　図１
0003097853.tif 000002
【実用新案登録請求の範囲】
【請求項１】
装飾部品（１０，２０，３０）がゴムチューブ（１２，２２，３２）にリング（１３，２３，３３）を介して連結されており、靴の紐穴に通した靴紐を互いに結んだ時に当該靴紐の先端通し部に上記ゴムチューブを嵌合して靴紐の先端に装着することを特徴とする靴紐の装飾具。
【考案の詳細な説明】
【０００１】
【考案の属する技術分野】
本考案は、靴紐に装着する装飾具に関しており、さらに詳しくは、あらゆる靴紐に適用できる装飾具に関している。
【０００２】
【従来の技術】
近年になって、靴にワッペン状の装飾体を貼付するもの又は靴紐に装飾体を装着するものなど、靴に装飾体を取り付けてオシャレを楽しむことができるようになっている。
【０００３】
【特許文献１】
特開平１０−３０９２０２号公報
【０００４】
特許文献１の発明は、図４に示すように、靴紐３の一端に紐穴よりも大きく形成した飾り部品２を固定したものであり、靴紐３の使用は、片方の靴１に２本を用意し、各靴紐３を飾り部品２が固定されている端部を、並列されている紐穴４の最先端に係止し、以後は、通常の靴紐と同様に紐穴４に通し、紐穴４の最後端から突出する部分を結ぶものである。
【０００５】
上記した特許文献１の発明は、靴紐の端部に飾り部品が固定されているものであるから、靴紐の長さ、太さ、模様などが異なると、同じデザインの飾り部品であっても、製品は、靴紐の種類毎に用意しなくてはならないと言った不都合があった。
【０００６】
【考案が解決しようとする課題】
本考案の課題は、靴紐の先端に着脱自在に装着できる靴紐のための装飾具であって、紐の長さ、太さ、模様などに係わらず、あらゆる種類の靴紐に適用できる装飾具を提供することである。
【０００７】
【課題を解決するための手段】
解決手段は、装飾部品がゴムチューブにリングを介して連結されており、靴の紐穴に通した靴紐を互いに結んだ時に当該靴紐の先端通し部に上記ゴムチューブを嵌合して靴紐の先端に装着することを特徴とするものである。
【０００８】
【考案の実施の形態】
図１は本考案の装飾具を靴紐に装着した状態を示す斜視図であり、図２は装飾具の実施形態を示す斜視図であり、図３は装飾具の他の実施形態を示す斜視図である。
【０００９】
これらの図において、靴１は紐穴２を有する構造であって、靴紐３を使用するものである。本考案の装飾具１０，２０，３０は、装飾部品１１，２１，３１がゴムチューブ１２，２２，３２にリング１３，２３，３３を介して連結されているものである。
【００１０】
図２，３を参照して、装飾部品１１、２１，３１は、星型、十字架、果実など各種の形態をデザインしたものであり、この他には、花、動物キャラクターなどが適用できる。
【００１１】
図２及び図３Ａにおける装飾具１０，２０は、装飾部品１１，２１が１個で構成されているが、図３Ｂにおける装飾具３０は、装飾部品３１が２個で構成されている。ただし、リング１３，２３，３３に結合する装飾部品１１，２１，３１の数は、実施形態に特定されるものではなく、その取付け個数はデザインされた形態によって決められるものである。
【００１２】
ゴムチューブ１２，２２，３２は、内径を靴紐３の端部に設けた先端通し部４の外径よりも小径に形成する。
【００１３】
次に、装飾具１０，２０，３０の使用方法を説明する。靴紐３は、図１に示すように、靴１の紐穴２に通常の手順によって通し、並列された紐穴２の最後端から突出した部分を互い結ぶ。この時、靴紐３は先端通し部４が自由状態になっているので、当該先端通し部４に装飾具１０，２０，３０のゴムチューブ１２，２２，３２を嵌合して両者を結合する。
【００１４】
実施形態は、片方の靴に同じデザインの装飾具を装着しているが、もう一方の靴に別の装飾具を装着することができるだけでなく、一つの靴にデザインの異なる装飾具を装着することができるものである。
【００１５】
又、実施形態では、装飾部品が１個のものと２個のものが示されているが、装飾部品の個数は任意である。この他、本考案の装飾具を装着する靴は、スニーカー型に限らずブーツやサンダル等で靴紐を使用する靴に適用できるものである。
【００１６】
【考案の効果】
本考案の装飾具は、装飾部品とゴムチューブをリングによって連結したものであり、靴に通した靴紐の先端通し部に装着するものであるから、靴紐の長さ、太さ、模様などに係わりなく、好みのデザインのものを選択して装着することができ、靴のオシャレを楽しむことができるものである。
【図面の簡単な説明】
【図１】本考案の装飾具を靴紐に装着した状態を示す斜視図。
【図２】装飾具の実施形態を示す斜視図。
【図３】他の装飾具の実施形態を示す斜視図。
【図４】従来技術を示す説明図。
【符号の説明】
１　靴
２　紐穴
３　靴紐
４　先端通し部
１０　装飾具
１１　装飾部品
１２　ゴムチューブ
１３　リング
２０　装飾具
２１　装飾部品
２２　ゴムチューブ
２３　リング
３０　装飾具
３１　装飾部品
３２　ゴムチューブ
３３　リング
【図１】
0003097853.tif 000003
【図２】
0003097853.tif 000004
【図３】
0003097853.tif 000005
【図４】
0003097853.tif 000006
(57)【要約】　　　（修正有）【課題】潮流、風により流される船を指定した位置で自動的に保持させるためには、過酷な海の自然環境に的確に対応し、取り付け、取り扱いが簡便で、安価でなければならない。また、小型船舶で複数人釣をする場合、潮流、風の影響で釣り糸が傾けられ、絡みの原因となる。【解決の手段】市販品のエンジン位置保持推力装置の採用により海での過酷な自然環境とその急速な変化に対応でき、制御部はＧＰＳ（汎地球測位システム）基盤用チップ、進路指示コンパス基盤用チップを搭載することにより、リアルタイムで船位、進路を得ることが可能となり、指定位置との誤差修正を位置保持推力装置の方向制御と回転制御を同時に適時行うことで誤差を縮小し、同時に基盤化により量産が可能となり、コストの抑制ができた。また、擬似釣り糸角の検出により常に釣り糸角を垂直に保つ制御を可能にした。【選択図】図２
0003097857.tif 000002
【実用新案登録請求の範囲】
【請求項１】
ＧＰＳ（汎地球測位システム）で船位、コンパスで船首方位を得る機能を有した制御ボックスと方位、船位を指定できるコントロールパネルにより着脱可能な市販品エンジン式推力装置の方向、出力回転数と船本体の舵角を制御し、潮流、風により流される船を指定した位置で自動的に保持する船位制御装置。
【請求項２】
船より釣り糸を垂らした状態を模擬的に表示できるよう自在な傾斜可能な錘付きロットの先端を船上に固定し、錘付き他端を海中に投入し、そのロットを常に垂直に保たせるよう着脱可能な市販品エンジン式推力装置の方向、出力回転数を制御する船位制御装置。
【考案の詳細な説明】
【０００１】
【考案の属する技術分野】
本考案は小型船舶を指定位置に自動的に保つ船位制御装置に関するものである。
【０００２】
本考案は小型船舶から垂らした釣り糸を潮流、風の影響に抗し、常に垂直に保つ船位制御装置に関するものである。
【０００３】
【従来の技術】
従来は小型船舶の河川、湖沼用として電動式推力のものが使われているが風に船首を向ける、潮に船首を向けるという船位制御が主眼であるため過酷な海の自然環境では目的を達成しにくいとの問題点を有していた。中型、大型船舶用として組み込み式の装置はあるが、構造状取り外しが不可能で、非常に高価である。
【０００４】
小型船舶からの釣り糸を常に垂直に保つ船位制御装置は開発されていない。
【０００５】
【考案が解決しようとする課題】
潮流、風により流される船を指定した位置で自動的に保持させるためには、過酷な海の自然環境に的確に対応し、取り付け、取り扱いが簡便で、安価でなければならない。
【０００６】
小型船舶で複数人釣をする場合、潮流、風の影響で釣り糸が傾けられ、絡みの原因となる。
【０００７】
【課題を解決するための手段】
本考案は上述の点に鑑みてなされたもので、位置保持推力装置として補助エンジンになり得るエンジン式推力装置を用い、海洋上での急速な、風、波、潮流の変化に対応した。各種小型船舶に容易に取り付けられるようメカニカル駆動部を小型、軽量化し、制御ボックス、コントロールパネルを基盤化することにより量産を可能にし、コストを抑制した。
【０００８】
船より釣り糸を垂らした状態を模擬的に表示できるロットの角度をコントロールパネルに取り込み、演算させることによりロット角度を常に垂直に保つよう、エンジン式推力装置の角度、回転数を制御させた。
【０００９】
エンジン推力装置の採用により海での過酷な自然環境とその急速な変化に対応でき、同時に主推進装置に故障、事故が発生した場合の補助推進装置となる。
【００１０】
急激な自然環境の変化に確実に対応するために市販品のエンジン推力装置のスロットルも同時に制御する電動シリンダーを配した。
【００１１】
エンジン推力装置の方向制御用ギアボックスと船本体の蛇角制御用ギアボックスを取り付けに配慮し電動モーターと一体化することで小型、軽量化した。
【００１２】
制御部はＧＰＳ（汎地球測位システム）基盤用チップ、進路指示コンパス基盤用チップを搭載することにより、リアルタイムで船位、進路を得ることが可能となり、指定位置との誤差修正を位置保持推力装置の方向制御と回転制御を同時に適時行うことで誤差を縮小し、同時に基盤化により量産が可能となり、コストの抑制ができた。
【００１３】
自在な傾斜可能なロットの先端を船上に固定し、錘付き他端を海中に投入することで擬似釣り糸角の検出を可能とした。
【００１４】
【考案の実施の形態】
市販品のエンジン位置保持推力装置を船尾に取り付け、近辺にその方向制御用ギアボックスを配し、スロットル部にスロットル制御用電動シリンダーを組み込む。操舵部に船本体の蛇角制御用ギアボックス、制御ボックス，コントロールパネルを取り付け各々配線する。
【００１５】
コントロールパネルで、保持位置、船首方向を指定する。
【００１６】
請求項１では、制御ボックスは潮流、風により位置ズレを生じた場合ＧＰＳからズレの方向、ズレの速度を演算し、コンパスにより、船首をズレ方向に旋回させるべく方向制御ギアボックスに出力する。またズレの速度により、スロットル制御用電動シリンダーに出力し、補正速度を調整する。
【００１７】
請求項２では自在な傾斜可能な錘付きロットにより擬似釣り糸角の検出を可能にし、その角度からの演算し、コンパスにより、船首を傾きの反対方向に旋回させるべく方向制御ギアボックスに出力する。また傾きの大きさにより、スロットル制御用電動シリンダーに出力し、補正速度を調整する。
【００１８】
【実施例】
図１に於いて　船尾に１．市販品のエンジン位置保持推力装置を取り付け、そのスロットル部に２．スロットル制御用電動シリンダーを固定する。５．推力方向制御用ギアボックスを１．市販品のエンジン推力装置の近辺に取り付ける。
【００１９】
図１に於いて操舵部の３．蛇輪に蛇角制御用ギアボックスを取り付ける。６．制御盤、７．コントロールパネルを配し、各々配線する。
【００２０】
図１に於いて９．釣り糸角検出部と６．制御盤を配線する。
【００２１】
【考案の効果】
大きな改造無しに取り付けることができる。
【００２２】
小型、軽量化により取り付け場所の制約を受けにくい。
【００２３】
エンジン推力装置を用いることで高出力を得ることが可能となりその方向と、回転数を同時に制御することで海での過酷な環境に対応できる。
【００２４】
ＧＰＳ（汎地球測位システム）基盤用チップ、進路指示コンパス基盤用チップを搭載することにより基盤化が推進されコストの圧縮が可能となった。
【００２５】
コントロールパネルの簡素化により、取り扱いを著しく簡便にした。
【００２６】
擬似釣り糸角検出装置を設けることにより釣り糸を常に垂直に保つことを可能にした。
【図面の簡単な説明】
【図１】小型船舶平面配置図である。
【図２】小型船舶右側面図である。
【符号の説明】
１．位置保持推進装置
２．スロットル制御用電動シリンダー
３．蛇輪
４．蛇角制御用ギアボックス
５．推力方向制御用ギアボックス
６．制御ボックス
７．コントロールパネル
８．主推進装置
９．釣り糸角検出部
【図１】
0003097857.tif 000003
【図２】
0003097857.tif 000004
(57)【要約】　　　（修正有）【課題】シンク内に置かれる家庭用三角コーナーに捨てられる野菜クズ、茶殻などのゴミが、雑菌等により腐敗し、悪臭を発生させるのを防止する。【解決手段】シンク内に置かれる家庭用三角コーナーの蓋に、野菜クズ、茶殻に効く消臭剤を設置することにより、それらを防止して、より衛生的、かつ清潔度を高める。【選択図】図１
0003097848.tif 000002
【実用新案登録請求の範囲】
【請求項１】
シンク内家庭用三角コーナー内で、脱臭機能を持たせるために、蓋上部に消臭剤を配置する、清潔度を高めたシンク内家庭用三角コ−ナ−。
【考案の詳細な説明】
【０００１】
【考案の属する技術分野】
本考案は、シンク内家庭用三角コ−ナ−に属する。
【０００２】
【従来の技術】
シンク内に置かれる家庭用流し台三角コーナーは、本体のみで蓋付のものはない。
【０００３】
【考案が解決しようとする課題】
こうしたシンク内に置かれる家庭用三角コーナーに捨てられる野菜クズ、茶殻などのゴミが、三角コーナー内で雑菌等により腐敗し、悪臭を発生させるために、野菜クズ、茶殻などのゴミをこまめに捨てなければならない欠点がある。
【０００４】
【課題を解決するための手段】
本考案は、蓋上部に消臭剤を配置することによる脱臭作用を特徴とするシンク内家庭用三角コ−ナ−で、脱臭を具備することで、上記課題を解決するものである。
【０００５】
【考案の実施の形態】
図１及び図２に示すように、蓋３の上部に消臭剤５を配置する。
【０００６】
【実施例】
本シンク内家庭用流し台三角コーナー蓋上部に設置する消臭剤の作用により、防臭機能を発揮するものである。
【０００７】
【考案の効果】
本考案に係る消臭剤は脱臭機能を具備された状態で使用するので、化学薬品等の使用を抑制し、環境にもやさしく、実用性に優れている。
【図面の簡単な説明】
【図１】本考案に係るシンク内家庭用三角コ−ナ−を示した断面図である。
【図２】本考案に係るシンク内家庭用三角コ−ナ−を示した立体図である。
【符号の説明】
１・・・ステンレス製本体
２・・・ゴム製脚
３・・・ステンレス製蓋
４・・・ステンレス製消臭剤蓋
５・・・消臭剤
【図１】
0003097848.tif 000003
【図２】
0003097848.tif 000004
(57)【要約】【課題】意外性、娯楽性を有すると共に、利便性にも優れた冬・春・夏・秋カレンダーを提供することを目的とする。【解決手段】カレンダー台紙２に、一年分を冬・春・夏・秋順の季節毎に分けて掲示したカレンダー１であって、冬欄３を１２月〜２月７、春欄４を３月〜５月８、夏欄５を６月〜８月９、秋欄６を９月〜１１月１０の各３ヶ月とし、各月毎に少なくとも該当する日１１、曜日１２を表示して構成される。【選択図】　　　　　図１
0003097846.tif 000002
【実用新案登録請求の範囲】
【請求項１】
カレンダー台紙に、一年分を冬・春・夏・秋順の季節毎に分けて掲示したカレンダーであって、
冬欄を１２月〜２月、春欄を３月〜５月、夏欄を６月〜８月、秋欄を９月〜１１月の各３ヶ月とし、各月毎に少なくとも該当する日、曜日を表示してなることを特徴とする冬・春・夏・秋カレンダー。
【考案の詳細な説明】
【０００１】
【考案の属する技術分野】
本考案は、冬・春・夏・秋カレンダーに関する。
【０００２】
【従来の技術】
周知のように、従来のカレンダーは、カレンダー台紙に、一年分を１月〜１２月に分けて、各月毎に該当する月、日、曜日等を表示する構成となっている。
【０００３】
【考案が解決しようとする課題】
ところで、人間の生活や商売などにおいては、冬・春・夏・秋の各季節に密接に関係していることが多い。
【０００４】
例えば、レジャー、飲食物、衣料品等でも、それぞれの季節に合ったものが選択されている。
【０００５】
しかしながら、従来のカレンダーは、このような人間の生活や商売等に適応できるように構成されていないものである。
【０００６】
本考案は、このような問題を解消するために、意外性、娯楽性を有すると共に、利便性にも優れた冬・春・夏・秋カレンダーを提供することを目的とする。
【０００７】
【課題を解決するための手段】
上記目的を達成するために、本考案に係る冬・春・夏・秋カレンダーは、カレンダー台紙に、一年分を冬・春・夏・秋順の季節毎に分けて掲示したカレンダーであって、
冬欄を１２月〜２月、春欄を３月〜５月、夏欄を６月〜８月、秋欄を９月〜１１月の各３ヶ月とし、各月毎に少なくとも該当する日、曜日を表示してなることを特徴とする。
【０００８】
【考案の実施の形態】
以下、本考案の実施の形態について図面を参照して詳細に説明する。
図１は、本考案に係る一枚の冬・春・夏・秋カレンダーを示す正面図であり、図２は、四枚に分けた同上カレンダーを示す正面図である。
【０００９】
図１および図２に示したように、本カレンダー１は、カレンダー台紙２に、一年分を冬・春・夏・秋順の季節毎に分けて掲示したものである。
【００１０】
そして、冬欄３を１２月〜２月７、春欄４を３月〜５月８、夏欄５を６月〜８月９、秋欄６を９月〜１１月１０とし、各月毎に少なくとも該当する日１１、曜日１２を表示する。
【００１１】
その他、図示例の如く、西暦１３、各季節に応じた絵１４あるいは写真、メモ欄（図示していない）等をカレンダー台紙２の適所に表示することができる。
【００１２】
さらに、本カレンダー１は、図１に示したように一枚のカレンダー台紙２に、冬欄３・春欄４・夏欄５・秋欄６すべての月７〜１０、各月毎に該当する日１１、曜日１２等をまとめて表示してもよいが、図２に示したように四枚のカレンダー台紙２を使って各季節毎に分けて表示することもできる。
【００１３】
しかして、本考案は、例えばレジャーをテーマとして作成する場合は、冬３の絵１４や写真等として雪玉、春４の絵１４等として桜、夏５の絵１４等として海水浴、秋６の絵１４等として栗等を印刷する。また、衣料品をテーマとして作成する場合は、冬物衣料、春物衣料、夏物衣料、秋物衣料をそれぞれに印刷する。飲食物も同様にそれぞれ適応したものを印刷する。
【００１４】
【考案の効果】
本考案は、以上のとおりに構成されるものであるから、一年分を冬・春・夏・秋順の季節毎に分けて掲示されているため、カレンダーとしての意外性、娯楽性を有すると共に、人間の生活や商売等に適応できるものとなっていることで利便性にもきわめて優れている。
【図面の簡単な説明】
【図１】本考案に係る一枚の冬・春・夏・秋カレンダーを示す正面図である。
【図２】四枚に分けた同上カレンダーを示す正面図である。
【符号の説明】
１　　カレンダー
２　　カレンダー台紙
３　　冬欄
４　　春欄
５　　夏欄
６　　秋欄
７　　１２月〜２月
８　　３月〜５月
９　　６月〜８月
１０　９月〜１１月
１１　日
１２　曜日
【図１】
0003097846.tif 000003
【図２】
0003097846.tif 000004
(57)【要約】　　　（修正有）【課題】室内の空気を循環させ、空気除菌機より光を出さず、目、皮膚、に影響をなくし、安全に除菌殺菌を可能にした空気除菌機を提供する。【解決手段】空気除菌機ボックス１３内部に送風ファン６、送風モーター１４、を送風ガード７下部に固着し、人工太陽灯２を内部固着し、抗菌フィルター５を人工太陽灯２、除菌殺菌灯１の間に取付ける。さらに、除菌殺菌灯１を内部に固着し、後方に抗菌フィルター５を取付け、吸入口８に遮光ガード４を固着する。内部全体壁面に、酸化チタンを蒸着処理する。電送ボックス１０を内部に取付け、電源１１の供給をする。抗菌フィルター５、人工太陽灯２、除菌殺菌灯１の、３点については交換が容易に出来るように、取出口を設ける。【選択図】図１
0003097870.tif 000002
【実用新案登録請求の範囲】
【請求項１】
空気除菌機ボックス（１３）の吸入口（８）に遮蔽ガード（４）を取りつけ内部に抗菌フィルター（５）、除菌殺菌灯（１）、抗菌フィルター（５）、人工太陽灯（２）、送風ファン（６）、送風モーター（１４）、遮光ガード（４）を取りつけ一体化させたものである。以上の如く構成された、空気除菌機である。
【考案の詳細な説明】
【０００１】
【産業上の利用分野】
この考案は、室内、工場、病院、乗り物（車両、航空機、列車）内の空気中に浮遊する細菌を除菌し、常に安全に室内の空気を衛生的に保つ、空気除菌機に関するものである。
【０００２】
【従来の技術】
従来は除菌殺菌灯を天吊り型、壁掛型、床置き型、天井埋め込み型、を使用しているが、除菌殺菌灯は目に対する影響があり、取りつけ場所によっては危険で不便な事がある。
【０００３】
【考案が解決しょうとする課題】
この考案は室内の空気を循環させ、空気除菌機より光を出さず、目、皮膚、に影響をなくし、安全に除菌殺菌を可能にした空気除菌機である。
【０００４】
【課題を解決するための手段】
空気除菌機ボックス（１３）内部に、送風ファン（６）、人工太陽灯（２）、抗菌フィルター（５）の後方に、除菌殺菌灯（１）を取りつける事によって、空気を対流させ、人工太陽灯（２）、除菌殺菌灯（１）を、通過した空気を除菌殺菌し、排出口（９）より室内へ、送風する事を可能にした。
【０００５】
【考案の実施の形態】
電源（１１）を入りにすると、送風ファン（６）、が回転し、人工太陽灯（２）、除菌殺菌灯（１）が点灯し、機外より空気を吸い込み　、室内の雑菌は空気の循環によって、運ばれ、人工太陽灯（２）、除菌殺菌灯（１）を通過する時点で除菌殺菌され、機外に排出され、室内には除菌殺菌された空気が循環し安全を保つ事が出来、又、長時間の連続運転も可能とした。
【０００６】
【実施例】
空気除菌ボックス（１３）の内部に、送風ファン（６）、人工太陽灯（２）、抗菌フィルター（５）と、除菌殺菌灯（１）の後方に抗菌フィルター（５）、遮光ガード（４）を取り付ける事によって、空気を対流させ、人工太陽灯（２）除菌殺菌灯（１）を通過した空気は、除菌殺菌され、排出口（９）より室内へ、送風する事を可能にした、空気除菌機である。
【０００７】
【考案の効果】
従来より、室内の除菌殺菌を行う場合は、除菌殺菌灯を吊り下げ型（間接照射方式）、笠付型（直接照射方式）、を使用しているが、除菌殺菌灯は目に対する悪影響があり、取付け場所によっては危険で不便な事が多い。
本考案は、送風ファン（６）、人工太陽灯（２）、抗菌フィルター（５）、除菌殺菌灯（１）、遮光ガード（４）、の一体化を可能にした事で、光が直接出ず、目、皮膚に悪影響がなく、室内の空気を安全に効率よく、長時間使用する事を可能にした。
【図面の簡単な説明】
【図１】本考案の斜視図である。
【図２】本考案の一部を切り欠いた側面図である。
【図３】本考案の空気除菌機の取付け図
【図４】本考案の他の実施例を示す取付け図
【符号の説明】
（１）は除菌殺菌灯
（２）は人工太陽灯
（３）は壁面酸化チタン蒸着処理
（４）は遮光ガード
（５）は抗菌フィルター
（６）は送風ファン
（７）は送風ガード
（８）は吸入口
（９）は排出口
（１０）は電送ボックス
（１１）は電源
（１２）はフィルター取出口
（１３）は空気除菌ボックス
（１４）は送風モーター
（１５）は取出口
【図１】
0003097870.tif 000003
【図２】
0003097870.tif 000004
【図３】
0003097870.tif 000005
【図４】
0003097870.tif 000006